(57)【要約】【課題】電子部品をアップロードする時間をより正確に記録することができる電子部品の輸送装置を提供すること。【解決手段】本発明に係る電子部品の輸送装置は、マウントと、前記マウントに装着される駆動装置と、前記マウントに設置され且つ前記駆動装置により駆動されて移動する第一コンベヤと、前記第一コンベヤに連結される第二コンベヤと、前記第一コンベヤと前記第二コンベヤとを結ぶベルト連結部と、互いに接続する触発スイッチ及び検知ユニットを含む検知装置と、を備える。前記触発スイッチは、前記マウントに設けられ且つ当該マウントと前記第一コンベヤとの間に位置し、前記ベルト連結部が前記第一コンベヤの移動に従って前記触発スイッチに接触すると、前記触発スイッチは導通し、前記検知ユニットは、前記触発スイッチが導通したことを検知して触発時間を記録する。【選択図】図１
2013136459.tif 000002
【特許請求の範囲】
【請求項１】
マウントと、前記マウントに装着される駆動装置と、前記マウントに設置され且つ前記駆動装置により駆動されて移動する第一コンベヤと、前記第一コンベヤに連結される第二コンベヤと、前記第一コンベヤと前記第二コンベヤとを結ぶベルト連結部と、互いに接続する触発スイッチ及び検知ユニットを含む検知装置と、を備える電子部品の輸送装置であって、
前記触発スイッチは、前記マウントに設けられ且つ当該マウントと前記第一コンベヤとの間に位置し、前記ベルト連結部が前記第一コンベヤの移動に従って前記触発スイッチに接触すると、前記触発スイッチは導通し、前記検知ユニットは、前記触発スイッチが導通したことを検知して触発時間を記録することを特徴とする電子部品の輸送装置。
【請求項２】
前記第一コンベヤ或いは前記第二コンベヤが前記触発スイッチに接触しても、当該触発スイッチは導通しないことを特徴とする請求項１に記載の電子部品の輸送装置。
【請求項３】
前記ベルト連結部は金属箔を含有し、前記触発スイッチは第一導線及び第二導線を介して前記検知ユニットに接続され、且つ前記マウントにおいて形成された互いに平行であり且つ間隔をあける少なくとも２つの導電片を備え、前記少なくとも２つの導電片は、前記第一導線及び前記第二導線に交互に接続され、前記ベルト連結部が前記触発スイッチに接触すると、前記金属箔は前記少なくとも２つの導電片と互いに導通して、前記第一導線と前記第二導線とを互いに電気的に接続させることを特徴とする請求項１または２に記載の電子部品の輸送装置。
【請求項４】
前記ベルト連結部は金属箔を含有し、前記触発スイッチは第一導線及び第二導線を介して前記検知ユニットに接続され、且つ前記マウントに形成される第一導電片及び第二導電片を備え、前記第一導電片及び前記第二導電片は、間隔をあけて設けられ且つ前記第一導線及び前記第二導線にそれぞれ接続され、前記第一導電片は、互いに平行な２つの導電部及びこの２つの導電部を一体に連接する連接部を備え、前記第二導電片は、２つの前記導電部の間に位置し且つ該２つの導電部に対してそれぞれ平行であり、前記ベルト連結部が前記触発スイッチに接触すると、前記金属箔は前記第一導電片及び前記第二導電片とそれぞれ導通して、前記第一導線と前記第二導線とを互いに電気的に接続させることを特徴とする請求項１または２に記載の電子部品の輸送装置。
【請求項５】
前記検知ユニットは、ＲＦＩＤタグと、ＲＦＩＤ読書き器と、前記ＲＦＩＤ読書き器に接続される処理ユニットと、を備え、前記ＲＦＩＤタグは、第一導線及び第二導線を介して、前記触発スイッチと電気的に接続し、前記触発スイッチが導通すると、前記ＲＦＩＤタグは駆動されて関連情報を送信し、前記ＲＦＩＤ読書き器は、該関連情報を受信し、且つ該関連情報を前記処理ユニットに伝送し、前記処理ユニットは、該関連情報に基づいて、触発時間を記録することを特徴とする請求項１または２に記載の電子部品の輸送装置。
【発明の詳細な説明】
【技術分野】
【０００１】
本発明は、電子部品などを輸送するための装置に関するものである。
【背景技術】
【０００２】
生産ラインにおいて、電子部品を輸送するための装置が多々用いられている。電子部品の輸送装置は、コンベヤを動かして循環させて、電子部品の正常な供給を確保する。前記コンベヤは、通常矩形を呈し且つ連続して小さな間隔をあけて設けられた円形貫通孔を備える。また、前記コンベヤの上面には、電気抵抗のチップ及びコンデンサーのチップなどの電子部品が載せられている。電子部品のアップロード時間（コンベヤの一端を基準位置として、コンベヤにおける他端が基準位置を通過するまでにかかる時間、すなわち、コンベヤ上に電子部品が載せられてから次の電子部品が載せられるまでの時間）を記録するため、カラーテープを介して複数のコンベヤを連接し、且つ該カラーテープによってコンベヤ上の円形貫通孔を遮蔽する。また、前記電子部品の輸送装置に光電センサーを設けて、該光電センサーを介して、移動しているコンベヤに対して連続的に走査する。
【０００３】
前記カラーテープが光電センサーの走査位置に到着していない場合、該光電センサーの送信機が発する走査ビームはコンベヤの円形貫通孔を貫通して、光電センサーの前記送信機に対面して設けられた受信機により受信されるので、前記光電センサーはカラーテープが走査位置にあることを感知することはない。一方、前記カラーテープが前記光電センサーの走査位置に到着すると、コンベヤ上の円形貫通孔が前記カラーテープにより遮蔽されているため、前記受信機は走査ビームを受信することができず、前記光電センサーはカラーテープが走査位置にあることを感知し、電子部品の輸送装置の処理ユニットは前記光電センサーが感知した時間を記録して、電子部品のアップロード時間を記録する。
【０００４】
しかし、作業員のミスにより、電子部品がコンベヤの円形貫通孔を遮る場合がある。これによって、前記光電センサーは走査ビームを受信できなくなり、さらには、該光電センサーが誤って感知して、記録した電子部品のアップロード時間にも誤差が出る。
【発明の概要】
【発明が解決しようとする課題】
【０００５】
以上の問題点に鑑みて、本発明は、電子部品をアップロードする時間をより正確に記録することができる電子部品の輸送装置を提供することを目的とする。
【課題を解決するための手段】
【０００６】
上記の目的を達成するために、本発明に係る電子部品の輸送装置は、マウントと、前記マウントに装着される駆動装置と、前記マウントに設置され且つ前記駆動装置により駆動されて移動する第一コンベヤと、前記第一コンベヤに連結される第二コンベヤと、前記第一コンベヤと前記第二コンベヤとを結ぶベルト連結部と、互いに接続する触発スイッチ及び検知ユニットを含む検知装置と、を備える。前記触発スイッチは、前記マウントに設けられ且つ当該マウントと前記第一コンベヤとの間に位置し、前記ベルト連結部が前記第一コンベヤの移動に従って前記触発スイッチに接触すると、前記触発スイッチは導通し、前記検知ユニットは、前記触発スイッチが導通したことを検知して触発時間を記録する。
【発明の効果】
【０００７】
従来の技術とは異なり、本発明の電子部品の輸送装置は、ベルト連結部が触発スイッチに接触すると、前記触発スイッチを導通させることにより、検知ユニットを介して電子部品のアップロード時間を記録する。これにより、作業員のミスによって、電子部品がコンベヤの円形貫通孔を遮ったとしても、検知ユニットは誤って触発されて電子部品のアップロード時間を記録することはなく、電子部品のアップロード時間を記録する際の精度を大きく向上させることができる。
【図面の簡単な説明】
【０００８】
【図１】本発明に係る電子部品の輸送装置を示す図である。
【図２】本発明の第一実施形態及び第二実施形態に係る触発スイッチを示す図である。
【図３】本発明の検知ユニットの機能モジュールを示す図である。
【発明を実施するための形態】
【０００９】
図１に示すように、本発明の実施形態に係る電子部品の輸送装置１００は、マウント１０と、第一コンベヤ１２と、第二コンベヤ１４と、ベルト連結部１５と、駆動装置２０と、検知装置３０と、を備える。駆動装置２０は、マウント１０に装着されている。第一コンベヤ１２は、マウント１０に設置され且つ駆動装置２０により駆動されて移動する。ベルト連結部１５は、第一コンベヤ１２及び第二コンベヤ１４を連結して、該第一コンベヤ１２及び第二コンベヤ１４を一体に固定するために用いられる。第一コンベヤ１２及び第二コンベヤ１４には、電気抵抗のチップ及びコンデンサーのチップなどの電子部品が載せられている。
【００１０】
検知装置３０は、触発スイッチ３２及び検知ユニット３４を備える。触発スイッチ３２は、マウント１０に設けられ且つマウント１０と第一コンベヤ１２との間に位置する。ベルト連結部１５が、第一コンベヤ１２の移動に従って触発スイッチ３２に接触されると、触発スイッチ３２は導通する。検知ユニット３４は、触発スイッチ３２と互いに接続され、該触発スイッチ３２が導通したことを検知して触発時間を記録する。この触発時間とは、電子部品をアップロードする時間である。なお、第一コンベヤ１２或いは第二コンベヤ１４が触発スイッチ３２に接触しても、該触発スイッチ３２は導通しない。
【００１１】
以下、図２を併せて参照して、本発明の第一実施形態に係る触発スイッチ３２について詳細に説明する。ベルト連結部１５は、銅箔或いはアルミ箔などの金属箔を含有する。触発スイッチ３２は、第一導線３２０及び第二導線３２４を介して検知ユニット３４に接続される。また、マウント１０には、互いに平行であり且つそれぞれ一定間隔をあけて形成された六つの導電片３２２が設けられている。この六つの導電片３２２は、第一導線３２０及び第二導線３２４に交互に接続されている。ベルト連結部１５が触発スイッチ３２に接触すると、前記金属箔は、六つの導電片３２２のうちの少なくとも２つと互いに導通するので、第一導線３２０と第二導線３２４とは互いに電気的に接続され、検知ユニット３４は起動されて電子部品のアップロード時間を記録する。
【００１２】
本発明の第二実施形態に係る触発スイッチ３２は、マウント１０に形成される第一導電片３２５及び第二導電片３２６を備える。第一導電片３２５及び第二導電片３２６は、間隔をあけて設けられ且つ第一導線３２０及び第二導線３２４にそれぞれ接続される。第一導電片３２５は、互いに平行な２つの導電部３３０と、この２つの導電部３３０を一体に連接する連接部３３４と、を備える。第二導電片３２６は、２つの導電部３３０の間に位置し且つ該２つの導電部３３０それぞれに対して平行である。ベルト連結部１５が触発スイッチ３２に接触すると、前記金属箔は第一導電片３２５及び第二導電片３２６とそれぞれ導通するので、第一導線３２０と第二導線３２４とは互いに電気的に接続され、検知ユニット３４が起動されて電子部品のアップロード時間を記録する。
【００１３】
図３を併せて参照すると、検知ユニット３４は、ＲＦＩＤ（Ｒａｄｉｏ  Ｆｒｅｑｕｅｎｃｙ  Ｉｄｅｎｔｉｆｉｃａｔｉｏｎ）タグ３４０と、ＲＦＩＤ読書き器３４２と、ＲＦＩＤ読書き器３４２に接続される処理ユニット３４４と、を備える。ＲＦＩＤタグ３４０は、第一導線３２０及び第二導線３２４を介して、触発スイッチ３２と電気的に接続する。触発スイッチ３２が導通する（つまり第一導線３２０と第二導線３２４とが電気的に接続される）と、ＲＦＩＤタグ３４０は駆動されて関連情報を送信する。ＲＦＩＤタグ３４０が関連情報を送信する時の周波数は２．４ＧＨｚである。この関連情報は、少なくとも識別コード及び触発時間を含む。ＲＦＩＤ読書き器３４２は、前記関連情報を受信し且つ該関連情報を処理ユニット３４４に伝送する。処理ユニット３４４は、この関連情報に基づいて、触発時間（即ち、電子部品のアップロード時間）を記録する。
【００１４】
上記の各実施形態から分かるように、本発明の電子部品の輸送装置１００は、金属箔を含有したベルト連結部１５を採用し且つマウント１０に間隔をあけて形成される導電片を含む触発スイッチ３２を設ける。ベルト連結部１５が触発スイッチ３２に接触すると、前記金属箔は前記間隔をあけて設けられる導電片とそれぞれ導通し、触発スイッチ３２は導通され、検知ユニット３４は電子部品のアップロード時間を記録する。これにより、作業員のミスにより、電子部品がコンベヤの円形貫通孔を遮ったとしても、検知ユニット３４が誤って感知して電子部品のアップロード時間を記録することはない。即ち、本発明の電子部品の輸送装置１００は、電子部品のアップロード時間を記録する際の精度を大きく向上させることができる。
【００１５】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、言うまでもない。
【符号の説明】
【００１６】
１０              マウント
１２              第一コンベヤ
１４              第二コンベヤ
１５              ベルト連結部
２０              駆動装置
３０              検知装置
３２              触発スイッチ
３４              検知ユニット
１００            電子部品の輸送装置
３２０            第一導線
３２２            導電片
３２４            第二導線
３２５            第一導電片
３２６            第二導電片
３３０            導電部
３３４            連接部
３４０            ＲＦＩＤタグ
３４２            ＲＦＩＤ読書き器
３４４            処理ユニット
【図１】
2013136459.tif 000003
【図２】
2013136459.tif 000004
【図３】
2013136459.tif 000005